(57)【要約】  スライドシャフト２と固定座３を備えたキッチン・バス用スイッチであって、固定座にはスライドシャフトのスライド貫通孔３１が設けられ、前記スイッチには更にスライドシャフトの留め金具６が設けられ、スライドシャフトの表面には留め金具のホック部６０と係合する第一ストップポジション７１と第二ストップポジション７２が設けられ、第一ストップポジション７１と第二ストップポジション７２はそれぞれスライドシャフト表面の異なる高さに位置し、そのうち、第一ストップポジション７１はスライドシャフトのヘッド部２１に近接し、スライドシャフトの表面には留め金具のホック部６０の移動に適する第一片方向スライド溝８１、８２と第二片方向スライド溝８３、８４を有し、スイッチには更にスライドシャフトのヘッド部２１をテール部に突上げるスプリング４が設けられている。
2010534900.tif 000002
【特許請求の範囲】
【請求項１】
スライドシャフトと固定座とを備えたキッチン・バス用スイッチであって、固定座にはスライドシャフトのスライド貫通孔を有し、前記スイッチにはさらにスライドシャフトの留め金具が設けられ、前記スライドシャフトの表面には留め金具のホック部と係合する第一ストップポジションと第二ストップポジションが設けられ、前記第一ストップポジションと第二ストップポジションはそれぞれスライドシャフト表面の異なる高さに位置し、第一ストップポジションはスライドシャフトのヘッド部に近接し、前記スライドシャフトの表面にはスライドシャフトを第一ストップポジションから留め金具のホック部と係合して第二ストップポジションと留め金具のホック部が係合する留め金具のホック部まで移動させる第一片方向スライド溝を有し、前記スライドシャフトの表面にはさらにスライドシャフトを第二ストップポジションから留め金具のホック部と係合して第一ストップポジションと留め金具のホック部が係合するまで移動させる第二片方向スライド溝を有し、前記第一片方向スライド溝は第一ストップポジションから始まる第一スライドセグメント及び第一スライドセグメントに連結して第二ストップポジションに繋がる第二スライドセグメントを備え、その接合部は第二ストップポジションよりさらにスライドシャフトのヘッド部から離れ、前記第二片方向スライド溝は第二ストップポジションから始まる第三スライドセグメント及び第三スライドセグメントに連結されている第四スライドセグメントを備え、その接合部は第二ストップポジションよりさらにスライドシャフトのヘッド部から離れ、第四スライドセグメントと第一スライドセグメントとは連結され或いは第一ストップポジションまで連結され、前記スイッチにはスライドシャフトをスライドシャフトヘッド部からテール部の方向に突上げるスプリングが設けられている、ことを特徴とするキッチン・バス用スイッチ。
【請求項２】
第一スライドセグメントと第二スライドセグメントは階段状に連結され、その接合部おいて第二セグメントの溝底面は第一スライドセグメントの溝底面より低く、
第三スライドセグメントと第四スライドセグメントは階段状に連結され、その接合部において、第四スライドセグメントの溝底面は第三スライドセグメントの溝底面より低く、
第二スライドセグメントは第二ストップポジションに近接するところに下向きの階段を有し、
第四スライドセグメントと第一スライドセグメントは階段状に連結され、その接合部において、第一スライドセグメントの溝底面は第四スライドセグメントの溝底面より低い、
ことを特徴とする請求項１に記載のキッチン・バス用スイッチ。
【請求項３】
前記スライドシャフトのヘッド部又はその延伸部分は固定座のスライド貫通孔を貫通している、ことを特徴とする請求項１に記載のキッチン・バス用スイッチ。
【請求項４】
スイッチにはスライドシャフトの周方向位置決め機構が設けられている、ことを特徴とする請求項１に記載のキッチン・バス用スイッチ。
【請求項５】
前記周方向位置決め機構は、スライドシャフトにおいて軸方向に沿って設けられた位置決めスライド溝及び前記固定座に設けられ前記位置決め溝と係合する位置決めブロックを備える、ことを特徴とする請求項４に記載のキッチン・バス用スイッチ。
【請求項６】
前記留め金具は固定座にホックされ、前記固定座の外部には留め金具を固定するコイルスプリングが設けられている、ことを特徴とする請求項３に記載のキッチン・バス用スイッチ。
【請求項７】
前記留め金具は固定座の位置決めブロックにホックされ、前記固定座の外部には留め金具を固定するコイルスプリングが設けられている、ことを特徴とする請求項５に記載のキッチン・バス用スイッチ。
【請求項８】
前記固定座は、取付体とその後方でそれに連結されているスリーブ体を備え、前記スライドシャフトはテール部に近接または中部からテール部の間で軸径が比較的に小さく、且つ前記スリーブ体を貫通し、前記スリーブ体は軸径が比較的に小さいスライドシャフトの区域と係合する小孔を有する、ことを特徴とする請求項１に記載のキッチン・バス用スイッチ。
【請求項９】
前記留め金具は取付体にホックされ、前記取付体の外部には留め金具を固定するコイルスプリングが設けられる、ことを特徴とする請求項８に記載のキッチン・バス用スイッチ。
【請求項１０】
前記スライドシャフトのテール部には押しボタンが連結され、前記スプリングは固定座と押しボタンの間に位置する、ことを特徴とする請求項１に記載のキッチン・バス用スイッチ。
【発明の詳細な説明】
【技術分野】
【０００１】
本発明はキッチン・バス用スイッチに関する。
【背景技術】
【０００２】
目下、キッチン・バス分野において、ON及びOFFを実現する機械的操作構造は比較的に複雑で、通常引き抜き式スイッチ、引き及び押し式スイッチ構造又は引き及びリリース式スイッチが採用され、例えば分水バルブに応用するスイッチは前記スイッチを採用するが、ユーザーが使用する時、操作が不便であるうえ、寿命が短く、破損し易い。それに、これらのスイッチは各種異なるバス施設に対し共通性が乏しいため、往々にして各種異なるバス施設はそれぞれ異なるスイッチを採用しなければならないことにより、製造と管理を複雑化させ、生産コストを増加させた。
【発明の概要】
【０００３】
本発明が解決しようとする技術課題は、操作が便利で、寿命が長いキッチン・バス用スイッチを提供することである。このため、本発明は下記の技術方案を採用している。前記スイッチはスライドシャフトと固定座を備え、固定座にはスライドシャフトのスライド貫通孔が設けられ、前記スイッチには更にスライドシャフトの留め金具が設けられ、前記スライドシャフトの表面には留め金具のホック部と係合する第一ストップポジションと第二ストップポジションが設けられ、第一ストップポジションと第二ストップポジションはそれぞれスライドシャフト表面の異なる高さに位置し、第一ストップポジションはスライドシャフトのヘッド部に近接し、前記スライドシャフトの表面にはスライドシャフトを第一ストップポジションから留め金具のホック部と係合して第二ストップポジションと留め金具のホック部が係合する留め金具のホック部にまで移動させる第一片方向スライド溝を有し、前記スライドシャフトの表面にはさらにスライドシャフトを第二ストップポジションから留め金具のホック部と係合して第一ストップポジションと留め金具のホック部が係合するまで移動させる第二片方向スライド溝を有し、前記第一片方向スライド溝は第一ストップポジションから始まる第一スライドセグメント及び第一スライドセグメントと連結して第二ストップポジションに繋がる第二スライドセグメントを備え、その接合部は第二ストップポジションよりさらにスライドシャフトのヘッド部から離れ、前記第二片方向スライド溝は第二ストップポジションから始まる第三スライドセグメント及び第三スライドセグメントと連結する第四スライドセグメントを備え、その接合部は第二ストップポジションよりさらにスライドシャフトのヘッド部から離れ、第四スライドセグメントは第一スライドセグメントと連通しているか又は第一ストップポジションに連結され、前記スイッチはスライドシャフトのヘッド部をテール部に突上げるスプリングが設けられている。本発明の技術方案を採用したため、本発明は伝統的なスイッチの構造及び操作方式を変え、構造がより簡単であると同時に、押圧動作により開閉状態の切り替えを行うことができ、操作が便利で、人が力を使う習慣により適し、破損しにくく、使用寿命が長い。それに、本発明は固定座とスライドシャフトといった動静配置を採用しているため、本発明を例えば水槽の下水スイッチ、分水バルブ等異なるキッチントイレバス及び暖房施設などの取付要求に適用することができ、スライドシャフトのヘッド部に対応する補助構造を取付けることにより開閉の機能を実現することができ、広範な使用範囲と通用性がある。
【図面の簡単な説明】
【０００４】
【図１】本発明の実施例１における留め金具のホック部と第一ストップポジションが係合する時の断面図である。
【図２】本発明の実施例１における留め金具のホック部と第二ストップポジションが係合する時の断面図である。
【図３】本発明の実施例１におけるスライドシャフトの概略図である。
【図４】図３に示されているスライドシャフトが片方向スライド溝とストップポジション部位の正面概略図である。
【図５】本発明の実施例２における留め金具のホック部と第一ストップポジションが係合する時の断面図である。
【図６】本発明を分水器に応用して分水器を下方に排水させる時の概略図である。
【図７】本発明を分水器に応用して分水器を上方に排水させる時の概略図である。
【発明を実施するための形態】
【実施例１】
【０００５】
図１-４を参照されたい。本発明が開示するスイッチはスライドシャフト２、固定座３を備え、固定座にはスライドシャフトのスライド貫通孔３１が設けられ、前記スライドシャフトはスライド貫通孔３１に挿入し、そのヘッド部２１はスライド貫通孔３１から伸び出されている。スライドシャフトのヘッド部２１に延伸部分が連結されている場合、延伸部分が固定座のスライド貫通孔を突き出しても良い。本実施例において、スライドシャフトのテール部には押しボタン１が連結されており、押しボタンはスライドシャフトのテール部ねじ山に連結されており、前記スイッチは押しボタンとスライドシャフトの連結体をスライドシャフトのヘッド部２１からテール方向に突上げるスプリング４が設けられ、前記スプリングは固定座と押しボタンの間に位置する。前記スイッチには更にスライドシャフトの留め金具６が設けられ、前記留め金具は固定座に引っ掛けられ、前記固定座の外部には留め金具を固定するコイルスプリング５が設けられている。
【０００６】
本発明に応用される具体的な実施例において、スプリング４のサポートが設けられている場合、前記スプリング４は前記サポートとスライドシャフトの間に位置してもよく、前記スプリング４はスライドシャフトのヘッド部、固定座の内部等スライドシャフトがヘッド部からテール部への力を受けるようにする如何なる位置にあっても良い。留め金具６も本発明に応用される具体的な設備に連結してもよく、留め金具はまた固定座と連結している部品に連結してもよい。
【０００７】
前記スライドシャフトの表面には留め金具のホック部と係合する第一ストップポジション７１と第二ストップポジション７２が設けられ、前記第一ストップポジションと第二ストップポジションはそれぞれスライドシャフト表面の異なる高さに位置し、第一ストップポジションはスライドシャフトのヘッド部２１に近接し、前記スライドシャフトの表面にはスライドシャフトを第一ストップポジションから留め金具のホック部６０と係合して第二ストップポジションと留め金具のホック部が係合する留め金具のホック部にまで移動させる第一片方向スライド溝を有し、前記スライドシャフトの表面にはさらにスライドシャフトを第二ストップポジションから留め金具のホック部と係合して第一ストップポジションと留め金具のホック部が係合するまで移動させる第二片方向スライド溝を有し、前記第一片方向スライド溝は第一ストップポジションから始まる第一スライドセグメント８１及び第一スライドセグメントと連結して第二ストップポジションに繋がる第二スライドセグメント８２を備え、その接合部は第二ストップポジションよりさらにスライドシャフトのヘッド部から離れ、前記第二片方向スライド溝は第二ストップポジションから始まる第三スライドセグメント８３及び第三スライドセグメントと連結する第四スライドセグメント８４を備え、その接合部は第二ストップポジションよりさらにスライドシャフトのヘッド部から離れ、第四スライドセグメントは第一スライドセグメントと連通しているか又は第一ストップポジションに連結される。
【０００８】
スライド溝と留め金具のホック部６０との相対的な片方向運動を実現するためには、スライド溝の溝壁の設計により実現してもよく、スライド溝の溝底の設計により実現しても良いが、本実施例においては溝底の設計を採用して実現していることから、スイッチの動作がより確実で、使用寿命もより長い。その方案は下記の通りである。第一スライドセグメントと第二スライドセグメントは階段状に連結され、接合部９１において第二スライドセグメントの溝底面が第一スライドセグメントの溝底面より低く、第三スライドセグメントと第四スライドセグメントは階段状に連結され、接合部９２において第四スライドセグメントの溝底面が第三スライドセグメントの溝底面より低く、第二スライドセグメントは第二ストップポジションに近接するところに下向きの階段９３があり、第四スライドセグメントと第一スライドセグメントは階段状に連結され、接合部９４において第一スライドセグメントの溝底面は第四スライドセグメントの溝底面より低い。
【０００９】
操作時、押しボタン１に圧力を加えると、押しボタン１によりスライドシャフト２を下方に移動させ、この際、留め金具６はコイルスプリング５の作用を受け、ホックの連結端部が固定座に位置決めされるようにするが、留め金具のホック部６０は第一ストップポジションから第一スライドセグメントに沿って上方にスライドし、押しボタンをずっと下向きに押すと、留め金具のホック部６０は接合部９１において第二スライドセグメントに入る。押しボタンを放す時、押しボタンはスプリング４の作用力によりスライドシャフト２を上方に移動させるが、第一スライドセグメントと第二スライドセグメントが階段状に連結されているため、接合部９１において第二スライドセグメントの溝底面が第一スライドセグメントの溝底面より低いことから留め金具のホック部６０は引き返すことができず、第二スライドセグメントに沿って第二ストップポジションの区域まで下って第二ストップポジションのベクトルポイント位置にホックされる。これがスイッチの一つの状態位置であり、スライドシャフトの下向きのストロークを実現している。この時、スプリング４は圧縮された状態にある。
【００１０】
再び押しボタンを下向きに押すと、第二スライドセグメントが第二ストップポジションに近接するところに下向きの階段を有しているため、留め金具のホック部６０は引き返すことができず、第三スライドセグメントに沿って上方に移動して第四スライドセグメントに入るしかない。押しボタンを放す時、押しボタンはスプリング４の作用力を受け、スライドシャフト２を上方に移動させるが、第三スライドセグメントと第四スライドセグメントは階段状に連結され、接合部９２において、第四スライドセグメントの溝底面が第三スライドセグメントの溝底面より低いため留め金具のホック部６０は引き返すことができず、第四スライドセグメントに沿って下方に移動又は第四スライドセグメントに沿って下方に移動して第一スライドセグメントに入り、且つ最終的に第一ストップポジションまで戻り第一ストップポジションにホックされる。これがスイッチのもう一つの状態位置で、スライドシャフトの上向きのストロークを実現する。
【００１１】
本発明は手動の方式を使用することができて便利であると同時に、必要な機構を正確に上、下ベクトルポイントの間で往復位置決め移動させることができ、スライドシャフトのヘッド部に補助構造を加えると、スライドシャフトは補助構造を上下移動させ、開閉の機能を実現する。それに、密封装置を加えることにより液体のある場合に使用して開閉の機能を実現することができる。特にキッチン・バス領域において広範にわたる開閉機能を実現することができる。本実施例において、スライドシャフトのヘッド部がスライド孔から伸び出しているため、スライドシャフトのヘッド部と補助構造の連結がより便利となり、それらの連結がより確実で、これらの利便性と効果を考慮しなければ、スラドシャフトのヘッド部はスライド孔から伸び出されなくてもよく、補助構造は連結部材を通じてスライドシャフトのヘッドに連結される。
【００１２】
本実施例においてはスライドシャフトの周方向位置決め機構が設けられ、留め金具ホック部のある程度の揺れ動きにより回転しないスライドシャフトのスライドセグメントと係合する。前記周方向位置決め機構はスライドシャフトにおいて軸方向に沿って設けられた位置決めスライド溝２２及び前記固定座に設けられている位置決め溝と係合する位置決めブロック３２を備え、ブロック３２の形状はさらに留め金具との係合に利用されることができ、図に示されているように、前記留め金具は固定座の位置決めブロック部位にホックされる。周方向位置決め機構について言うならば、固定座の他の位置に設置された位置決め溝であってもよく、例えば内孔、ブロックをスライドシャフトの対応する他の位置に設置しても良い。このほか、周方向位置決め機構は他の通用の軸とスリーブの間の周方向位置決め構造を採用してもよく、また具体的な応用の施設により対応する位置決めを実現しても良い。
【００１３】
実施例において、スライドシャフトを一定の角度に回転することでスライドセグメントと留め金具の係合を実現しても良いが、使用する時、本実施例に比べて快適性と利便性で劣る。
【実施例２】
【００１４】
実施例１における固定座は幾つかの部分を連結してなっても良い。図５を参照されたい。本実施例において、前記固定座は取付体３３とその後方でそれに連結しているスリーブ体３４を備え、前記スライドシャフトはテール部に近接又は中部からテール部の間で軸径が比較的に小さく、且つ前記スリーブ体を貫通し、前記スリーブ体は軸径が比較的に小さいスライドシャフトのセクションに適する小孔３５を有する。前記留め金具は取付体にホックされ、前記取付体の外部には留め金具を固定するコイルスプリングが設けられている。
【００１５】
このように、スライドシャフトと固定座が密封的に連結する時、密封装置は軸径が比較的に小さいスライドシャフトのセクションに設置すると同時にスリーブ体の小孔と密封的に連結することで、スライド抵抗力による密封難度の低下を減少させることができる。
本実施例の他の部分は実施例１と同様で、図５において、図１−４と同じ符号は同じ意味を表す。
【実施例３】
【００１６】
図６を参照されたい。本実施例において、本発明は分水器に取付られている。本発明において、分水器ではスプリング４とサポート４１が設置され、スプリング４はサポート４１とスライドシャフト２のヘッド部２１に連結されているバブルコア２３の間に位置し、バルブコアとスライドシャフトの上下運動を通じてそれぞれ分水器の上下密封座の排水を開閉し、上方排水と下方排水の分水制御を実現する。
本実施例におけるスイッチの他の部分は実施例２と同様である。
【図１】
2010534900.tif 000003
【図２】
2010534900.tif 000004
【図３】
2010534900.tif 000005
【図４】
2010534900.tif 000006
【図５】
2010534900.tif 000007
【図６】
2010534900.tif 000008
【図７】
2010534900.tif 000009
【国際調査報告】
2010534900.tif 000010
2010534900.tif 000011
2010534900.tif 000012
2010534900.tif 000013